(57)【要約】【課題】乗員に対してシートベルトの装着を警告し、シートベルト装着忘れを防止する。【解決手段】車両用シートベルト装着警告装置は、シートベルト１１、シートベルト１１側に設けられるロックプレート１２、ロックプレート１２を挿入してシートベルト１１を固定するバックル１３、ロックプレート１２がバックル１３に挿入されたことを検知するための挿入検知センサ１４、乗員がシート１５に搭乗したことを検知するための乗員検知センサ１６、車両ドアの開閉状態あるいは施錠・開錠状態を検知するための車両ドアセンサ１９を有している。さらに、車両用シートベルト装着警告装置は、バックル１３をスポット照明するための照明灯１８を有している。この照明灯１８は、車室内中央床面に設置されているコンソールボックス１７に設けられており、照明制御部からの信号によって点灯及び消灯する。【選択図】        図１
2004237827.tif 000002
【特許請求の範囲】
【請求項１】
車両に装備されているシートベルト装置のバックルを照明してシートベルトの装着の有無を乗員に知らせる車両用シートベルト装着警告装置であって、
バックル近傍に設けられ、バックルをスポット照明する照明灯と、
乗員の搭乗を検知するための乗員検知センサと、
車両ドアの開閉状態あるいは施錠・開錠状態を検知するための車両ドアセンサと、
シートベルト側に設置されているロックプレートがバックルに挿入されたことを検知するバックル挿入検知センサと、
乗員検知センサと車両ドアセンサとバックル挿入検知センサからの電気信号を受信して、所定の条件を満たしたときに照明灯を点灯・消灯させる照明制御部と、
を有することを特徴とする車両用シートベルト装着警告装置。
【請求項２】
請求項１に記載の車両用シートベルト装着警告装置において、
前記照明灯は、車室内中央床面に備えられるコンソールボックスに設置されることを特徴とする車両用シートベルト装着警告装置。
【発明の詳細な説明】
【０００１】
【発明の属する技術分野】
本発明は、車両用シートベルト装着警告装置、特に、車両の乗員に対して照明によってシートベルトの装着を促す車両用シートベルト装着警告装置の改良に関する。
【０００２】
【従来の技術】
従来から、車両用シートベルトは乗員の安全を確保するために装備されるものであり、乗員がシートベルトを確実に装着できるよう様々な工夫がなされている。この工夫のうち、乗員がシートベルトを装着し易いように、照明機構を備えたシートベルト装置に関する技術が提案されている。例えば、下記特許文献１には、バックルが有する長方形状のロックプレート挿入孔の長辺上部に、ロック孔照明部を設けたことを特徴とする自動車用シートベルトが開示されている。このロック孔照明部は、カバーケースに覆われたミニ電球をバックルに設置した構造を有している（下記特許文献１参照）。一方、下記特許文献２には、ロックプレートの表面先端部に、照明カバーに囲われた電球を取り付けたことを特徴とするシートベルトの照明装置が開示されている（下記特許文献２参照）。
【０００３】
【特許文献１】
特開２０００−１５９０６０号公報  （第１図）
【特許文献２】
特開２０００−３０９２４５号公報  （第１図、第３図）
【０００４】
【発明が解決しようとする課題】
しかしながら、上記従来の技術で示した各特許文献に係る発明には、以下の問題がある。すなわち、各特許文献で示されるシートベルト装置は、夜間等にシートベルトを装着する際に手元を明るくし、シートベルトの装着を実施し易くする照明としての役割を果たすものではある。しかし、乗員に対してシートベルトを装着するよう警告し、シートベルト装着忘れを防止する機能を果たすものではない。
【０００５】
本発明の目的は、夜間等にシートベルトの装着を実施し易くするだけでなく、乗員に対してシートベルトの装着を警告し、シートベルト装着忘れを防止することができる車両用シートベルト装着警告装置を提供することにある。
【０００６】
【課題を解決するための手段】
以上のような課題を解決するために、本発明に係る車両用シートベルト装着警告装置は、車両に装備されているシートベルト装置のバックルを照明してシートベルトの装着の有無を乗員に知らせる車両用シートベルト装着警告装置であって、バックル近傍に設けられることによってバックルをスポット照明する照明灯と、乗員の搭乗を検知するための乗員検知センサと、車両ドアの開閉状態あるいは施錠・開錠状態を検知するための車両ドアセンサと、シートベルト側に設置されているロックプレートがバックルに挿入されたことを検知するバックル挿入検知センサと、乗員検知センサと車両ドアセンサとバックル挿入検知センサからの電気信号を受信して、所定の条件を満たしたときに照明灯を点灯・消灯させる照明制御部とを有することを特徴とする。
【０００７】
また、本発明の照明灯は、車室内中央床面に備えられるコンソールボックスに設置されることが好適である。
【０００８】
【発明の実施の形態】
本発明の好適な実施の形態について図１、２を用いて説明する。図１は、本実施の形態に係る車両用シートベルト装着警告装置の構成を例示する図である。また、図２は、本実施の形態に係る車両用シートベルト装着警告装置を作動させるためのシステム構成を例示する図である。なお、本実施の形態では、自動車に車両用シートベルト装着警告装置が設置された場合を例示して説明している。
【０００９】
本実施の形態に係る車両用シートベルト装着警告装置は、シート１５に設置されるシートベルト装置１０を有している。このシートベルト装置１０は、シートベルト１１、シートベルト側に設けられるロックプレート１２、ロックプレート１２を挿入してシートベルト１１を固定するバックル１３から構成されている。バックル１３は、ロックプレート１２が挿入されたことを検知するための挿入検知センサ１４を有している。また、シート１５には、乗員がシート１５に搭乗したことを検知するための乗員検知センサ１６が設置されている。さらに、本実施の形態に係る車両用シートベルト装着警告装置は、車両ドアの開閉状態あるいは施錠・開錠状態を検知するための車両ドアセンサ１９を有している。なお、挿入検知センサ１４、乗員検知センサ１６、車両ドアセンサ１９には、既存のセンサあるいは周知技術のあらゆるセンサを適用することが可能である。
【００１０】
さらに、本実施の形態で特徴的なことは、車両用シートベルト装着警告装置は、上述した構成要件に加え、バックル１３をスポット照明するための照明灯１８を有していることである。この照明灯１８は、車室内中央床面に設置されているコンソールボックス１７に設けられており、照明制御部２０からの信号によって点灯及び消灯をするものである。
【００１１】
次に、本実施の形態に係る車両用シートベルト装着警告装置の作動内容について、図２を参照して説明する。
【００１２】
乗員が車両に乗り込むために車両ドアを開ける、あるいは、車両ドアの開錠を行うと、車両ドアセンサ１９が車両ドアの開放あるいは開錠状態を検知して照明制御部２０が有する検知センサ信号受信部２２に電気信号を送信する。車両ドアの開放あるいは開錠を検知した照明制御部２０は、照明信号出力部２１から電気信号を発信して照明灯１８を点灯させる。照明灯１８が点灯することによってバックル１３がスポット照明され、この照明によって乗員に対してシートベルト１１を装着するよう警告を行うことができる。
【００１３】
ここで、乗員が車両に搭乗しなかった場合には照明灯１８を消灯させることが可能である。すなわち、照明灯１８が点灯し、車両ドアが閉まったこと、あるいは、施錠状態となったことを車両ドアセンサ１９が検知した後、一定時間乗員検知センサ１６が乗員の搭乗を検知しないときは、乗員が車両に搭乗しなかったものとして照明灯１８を消灯することになる。
【００１４】
次に、乗員がバックル１３にロックプレート１２を挿入し、バックル挿入検知センサ１４がロックプレート１２の挿入を検知すると、バックル挿入検知センサ１４から検知センサ信号受信部２２に電気信号が送信される。ロックプレート１２の挿入を確認した照明制御部２０は、照明信号出力部２１から電気信号を発信して照明灯１８を消灯させることになる。
【００１５】
なお、照明灯１８の点灯条件は、上述した実施の形態に限られるものではない。例えば、乗員検知センサ１６の検知信号を照明灯１８の点灯条件として追加することにより、車両に乗員が搭乗したことを確実に検知した後に照明灯１８を点灯させることが可能となる。
【００１６】
照明灯１８については、例えば、車室内の光量に応じて照明の照度を変化させる、あるいは、一定時間点滅させること等によっても、警告灯としての意味付けを強化することができる。さらに、照明灯１８の設置位置は、コンソールボックス１７に限定されるものではなく、バックル１３をスポット照明して乗員に対してシートベルトの装着を警告することができる場所であればどこでもよく、例えば、シート１５、ルーフ、インナーパネル等車両のあらゆる場所に設置することが可能である。
【００１７】
【発明の効果】
以上述べたように、本発明によれば、バックルを所定の条件でスポット照明することによって、夜間等にシートベルトの装着を実施し易くするだけでなく、乗員に対してシートベルトの装着を警告し、シートベルト装着忘れを防止することができる。
【図面の簡単な説明】
【図１】本実施の形態に係る車両用シートベルト装着警告装置の構成を例示する図である。
【図２】本実施の形態に係る車両用シートベルト装着警告装置を作動させるためのシステム構成を例示する図である。
【符号の説明】
１０  シートベルト装置、１１  シートベルト、１２  ロックプレート、１３バックル、１４  バックル挿入検知センサ、１５  シート、１６  乗員検知センサ、１７  コンソールボックス、１８  照明灯、１９  車両ドアセンサ、２０照明制御部、２１  照明信号出力部、２２  検知センサ信号受信部。
【図１】
2004237827.tif 000003
【図２】
2004237827.tif 000004